(57)【要約】【課題】電気光学パネルと偏光板の方向精度を容易に確保することが可能であり、容易に製造することができる電気光学装置及び電子機器を提供する。【解決手段】液晶パネル２と、液晶パネル２の一方の面と対向配置され、液晶パネル２の画像を拡大するレンズ８３と、液晶パネル２のレンズ８３側に接着層を介して貼り合わされる石英基板又はガラス基板の透明基板８１と、透明基板８１のレンズ８３側に貼り合わされる偏光板１１と、液晶パネル２の他方の面側に設けられるバックライトユニット３とを備える電気光学装置であり、好適には液晶パネル２の他方の面側にも接着層を介して別の透明基板８２を貼り合わせ、透明基板８２の外側に偏光板２１を貼り合わせる。【選択図】図６
2010186113.tif 000002
【特許請求の範囲】
【請求項１】
電気光学パネルと、
前記電気光学パネルの一方の面と対向配置され、前記電気光学パネルの画像を拡大する
レンズと、
前記電気光学パネルの一方の面に貼り合わされる透明基板と、
前記透明基板の前記レンズ側の面に貼り合わされる偏光板とを備えることを特徴とする
電気光学装置。
【請求項２】
前記透明基板は、石英基板又はガラス基板であることを特徴とする請求項１記載の電気
光学装置。
【請求項３】
前記透明基板は、接着層を介して前記電気光学パネルに接着されることを特徴とする請
求項１又は２記載の電気光学装置。
【請求項４】
前記電気光学パネルの他方の面に貼り合わされる他の透明基板を備えることを特徴とす
る請求項１〜３の何れかに記載の電気光学装置。
【請求項５】
前記電気光学パネルの他方の面側にバックライトユニットを設けることを特徴とする請
求項１〜４の何れかに記載の電気光学装置。
【請求項６】
請求項１〜５の何れかに記載の電気光学装置を備えることを特徴とする電子機器。
【発明の詳細な説明】
【技術分野】
【０００１】
本発明は、電気光学パネルの画像を拡大するレンズを備える電気光学装置及び電子機器
に関する。
【背景技術】
【０００２】
電気光学パネルの画像をレンズで拡大する電気光学装置において、特許文献１の電子ビ
ューファインダ（Electrical View Finder、以下「ＥＶＦ」と略称する）の液晶表示装置
の様に、レンズによる異物の拡大表示を防いで表示品位の低下を防止するものが知られて
いる。
【０００３】
特許文献１の液晶表示装置は、液晶パネルと、液晶パネルの入射光の光路上に配置され
た偏光板と、液晶パネルからの出射光の光路上に配置された偏光板とを筐体に収容し、筐
体の挿入部に液晶パネル、入射光側の偏光板、出射光側の偏光板をそれぞれ挿入して保持
されるようにし、液晶パネル、入射光側の偏光板、出射光側の偏光板を離間して配置する
ものである。液晶パネルに直接偏光板を貼り合わせた場合には、液晶パネルと偏光板との
界面に混入した異物や多層構造の偏光板に混入した異物がレンズの焦点距離近傍に位置し
て拡大され、表示品位の低下を招くのに対し、この液晶表示装置は、液晶パネルと偏光板
を離間して配置することにより、斯様な表示品位の低下を防止することが可能である。
【先行技術文献】
【特許文献】
【０００４】
【特許文献１】特開２００５−２０８４９２号公報
【発明の概要】
【発明が解決しようとする課題】
【０００５】
しかしながら、特許文献１の液晶表示装置は、液晶パネルとそれぞれの偏光板を筐体の
挿入部で保持して離間配置するものであるため、液晶パネルと偏光板の方向精度を確保す
ることが非常に難しく、製造が容易でないという問題がある。そのため、液晶パネル等の
電気光学パネルと偏光板の方向精度を容易に確保することが可能であり、容易に製造する
ことができる構成が求められている。
【０００６】
本発明は上記課題に鑑みて提案するものであり、電気光学パネルと偏光板の方向精度を
容易に確保することが可能であり、容易に製造することができる電気光学装置及び電子機
器を提供することを目的とする。
【課題を解決するための手段】
【０００７】
本発明の電気光学装置は、電気光学パネルと、前記電気光学パネルの一方の面と対向配
置され、前記電気光学パネルの画像を拡大するレンズと、前記電気光学パネルの一方の面
に貼り合わされる透明基板と、前記透明基板の前記レンズ側の面に貼り合わされる偏光板
とを備えることを特徴とする。
本発明によれば、電気光学パネルに貼り合わされた透明基板に偏光板を貼り合わせるの
で、偏光板を離れた位置に別途置いて設ける場合と比較して、偏光板の方向精度を確保す
ることが容易であると共に、容易に製造することができる。更に、偏光板の位置をレンズ
の焦点距離近傍から離すことができるため、偏光板やその接着層に混入した異物、偏光板
の厚さのムラ等をレンズで拡大して認識されてしまうことを無くし、偏光板に起因する表
示品位の低下を防止することができる。また、透明基板により、電気光学パネルの一方の
面側を防塵することができる。
【０００８】
本発明の電気光学装置は、前記透明基板が石英基板又はガラス基板であることを特徴と
する。
本発明によれば、レンズの焦点距離近傍に位置する電気光学パネルと石英基板又はガラ
ス基板との接着面等に異物が混入した場合に、接着剤が硬化する前等に石英基板又はガラ
ス基板を取り外して異物を除去することができる。そして、電気光学パネルや取り外した
透明基板を洗浄や拭き取りで清掃し、再度利用して付け直すことが可能であるから、透明
基板の廃却を無くし、部材の無駄を防止することができる。
【０００９】
本発明の電気光学装置は、前記透明基板が接着層を介して前記電気光学パネルに接着さ
れることを特徴とする。
本発明によれば、電気光学パネルの接着面に損傷部が存在する場合に、損傷部を接着剤
で埋め込んで、損傷部が観察者に視認されることを防止できる。
【００１０】
本発明の電気光学装置は、前記電気光学パネルの他方の面に貼り合わされる他の透明基
板を備えることを特徴とする。
本発明によれば、電気光学パネルの他方の面側に設けられる偏光板の位置をレンズの焦
点距離近傍から離すことが可能となり、偏光板やその接着層に混入した異物、偏光板の厚
さのムラ等をレンズで拡大して認識されてしまうことを無くし、他方の面側の偏光板に起
因する表示品位の低下を防止することができる。また、別の透明基板により、電気光学パ
ネルの他方の面側を防塵することができる。
【００１１】
本発明の電気光学装置は、前記電気光学パネルの他方の面側にバックライトユニットを
設けることを特徴とする。
本発明によれば、バックライトユニットを有する電気光学パネルにおいて、偏光板の方
向精度の容易な確保、容易な製造、偏光板に起因する表示品位の低下の防止、電気光学パ
ネルの一方の面側の防塵等を図ることができる。また、別の透明基板を設ける場合には、
バックライトユニットの組み付け時に混入した異物をレンズの焦点距離近傍から離し、表
示品位の低下を防止することができる。
【００１２】
本発明の電子機器は、本発明の電気光学装置を備えることを特徴とする。
本発明によれば、本発明の電気光学装置の作用効果を有する電子機器を構成することが
できる。
【図面の簡単な説明】
【００１３】
【図１】（ａ）は本発明の第１実施形態の電気光学装置としての液晶装置を示す平面図、（ｂ）はその側面図。
【図２】図１におけるＡ―Ａ断面図。
【図３】図１におけるＢ−Ｂ断面図。
【図４】図１におけるＣ−Ｃ断面図。
【図５】（ａ）は電気光学パネルとしての液晶パネルの具体的な構成の一例を示す平面図、（ｂ）は同図（ａ）におけるａ−ａ断面図。
【図６】（ａ）は第１実施形態の電気光学装置としての液晶装置における透明基板によるデフォーカスを説明する説明図、（ｂ）は同図（ａ）の透明基板がない構成を示す参考説明図。
【図７】第２実施形態の電気光学装置としての液晶装置における透明基板及び別の透明基板によるデフォーカスを説明する説明図。
【図８】本発明の電気光学装置としての液晶装置を用いた電子機器としてのデジタルカメラの背面図。
【発明を実施するための形態】
【００１４】
〔第１実施形態の電気光学装置〕
本発明の電気光学装置の例として、液晶装置による第１実施形態の電気光学装置につい
て説明する。図１（ａ）は第１実施形態の電気光学装置を示す平面図、同図（ｂ）はその
側面図、図２、図３及び図４はそれぞれ図１におけるＡ−Ａ、Ｂ−ＢおよびＣ−Ｃ断面図
である。
【００１５】
第１実施形態の電気光学装置としての液晶装置１は、ＥＶＦとして用いるものであり、
図１〜図４に示すように、電気光学パネルとしての液晶パネル２と、液晶パネル２の背面
側に配設されるバックライトユニット３とを、実装ケース６で保持している。実装ケース
６は、液晶パネル２とバックライトユニット３とを保持する保持部材であるフレーム４と
、フレーム４に保持された液晶パネル２の少なくともを一部を覆うようにして配設される
カバーである遮光部材５とから構成される。
【００１６】
フレーム４は、図１〜図４に示すように、前後方向など一の方向で対向する側壁４１、
側壁４２と、対向する側壁４１、４２と交差する方向で対向する側壁４３・４３を有する
と共に、側壁４１〜４３から内側に突出して形成されている支持部４４を有し、中央部に
透光用の開口部４４ａを有する仕切板状の支持部４４を備えた断面略Ｈ字形の枠状に形成
されている。フレーム４は例えばポリカーボネートにより形成され、黒色とされている。
支持部４４の一方側に相当するＨ字形フレーム４の一方の凹部４ａ（図２〜図４の場合は
支持部４４よりも上側の凹部）には、液晶パネル２が収容して取り付けられ、支持部４４
の他方側に相当する他方の凹部４ｂ（図２〜図４の場合は支持部４４よりも下側の凹部）
には、バックライトユニット３が収容して取り付けられている。
【００１７】
液晶パネル２とバックライトユニット３は、凹部４ａ、４ｂでそれぞれ嵌合されるよう
にしてフレーム４により保持されている。液晶パネル２は、例えば対向基板２０の周縁を
素子基板１０と反対側からダイシングで半分程度カットして形成され、液晶パネル２の側
面と段差を有する内側面２０ａを有し、側壁４１〜４３に内側に突出して形成された嵌合
面４５に内側面２０ａを嵌合してフレーム４の凹部４ａに取り付けられている。即ち、対
向基板２０の対向する内側面２０ａ・２０ａ間の距離は、フレーム４の内側で対向する嵌
合面４５・４５間の距離に対応する嵌合可能な寸法で形成され、対向基板２０の内側面２
０ａ・２０ａが嵌合面４５・４５間に嵌合される。バックライトユニット３は、支持部４
４のバックライトユニット側の面と、側壁４１〜４３の内面とで構成される凹部４ｂに嵌
合されている。また、側壁４１・４２には、バックライトユニット３からの漏れ光を防止
可能なフランジ状の突出部４１ａ・４２ａが形成され、その両突出部４１ａ・４２ａ間に
遮光部材５が配置されている。
【００１８】
液晶パネル２及びバックライトユニット３は、必要に応じて接着材や両面接着テープ等
でフレーム４に固着すると好適であり、本実施形態では液晶パネル２を支持部４４等でフ
レーム４に接着材で固定している。また、バックライトユニット３は、液晶パネル２に対
して所定の領域以外に光が照射されるのを防ぐための遮光部材を兼ねる略方形枠状の両面
接着テープ３１を介して、フレーム４の支持部４４の他方の面（図２〜図４の場合は下面
）に固着されており、支持部４４の先端は両面接着テープ３１よりも内方に突出している
。バックライトユニット３は、微粘着テープの両面接着テープ３１等で着脱可能に固定す
ると、バックライトユニット３のフレーム４からの取り外し時に、取り外し作業を容易化
することができるので好ましい。
【００１９】
遮光部材５は、図１〜図４に示すように、フレーム４内に収容した液晶パネル２の一方
の面（図２〜図４の場合は上面）を覆う天板５１と、天板５１の幅方向（図３及び図４に
おいて左右方向）両端部に天板５１から略直角に屈曲して形成した側壁５２・５２とを有
し、天板５１で液晶パネル２の一方の面側である外面側を覆うと共に、対向する側壁５２
・５２で、それぞれフレーム４の互いに対向する側壁４３・４３の外面の一部を覆うよう
になっている。遮光部材５の天板５１には、図５に示す液晶パネル２の画素領域２Ａに対
応する位置に、その部分を開口して形成した窓部５１ａが設けられ、天板５１は、液晶パ
ネル２の画素領域２Ａの周辺領域を覆うように配置される。遮光部材５は、例えばステン
レス、アルミ等で形成されると共に、視認可能な外側の面は黒く塗装されており、表示コ
ントラストを高め、視認時の眩しさを防止できるようになっている。
【００２０】
更に、液晶パネル２とバックライトユニット３とをフレーム４に保持させた状態で、遮
光部材５の側壁５２とバックライトユニット３とが連結され、４つの部材２〜５が一体化
されている。遮光部材５の側壁５２とバックライトユニット３との連結手段としては、各
側壁５２・５２に係合部である係合穴５２ｃが形成され、係合穴５２ｃに係合する係合突
起３ａがバックライトユニット３の図４の左右両側の端部に一体的に設けられており、係
合穴５２ｃと係合突起３ａとの係合によって連結される。図中、４３ａはフレーム４の各
側壁４３・４３の外面側に、それと一体的に且つ遮光部材５の側壁５２よりも外側に突出
して設けられている張出部であり、張出部４３ａとの干渉を避けるようにして各側壁５２
・５２には凹部５２ａが形成され、凹部５２ａの両側の下向きの突出部５２ｂ・５２ｂに
それぞれ係合穴５２ｃが形成されている。
【００２１】
係合穴５２ｃが係合する係合突起３ａは、各係合穴５２ｃに対応してバックライトユニ
ット３の図４で左右両側の端部に、それぞれ２つずつ設けられている。係合突起３ａの一
方側（液晶パネル２側）の第１の面は傾斜面３ａ１、その反対側の第２の面は水平面にな
っており、傾斜面３ａ１は液晶パネル２と離れる方向に傾斜している。傾斜面３ａ１は、
例えば平面状或いは断面視円弧状の凸曲面状とすると好適である。係合突起３ａの傾斜面
３ａ１により、遮光部材５の係合穴５２ｃを係合突起３ａに係合させる際に、側壁５２が
外側方に押し開かれ、係合穴５２ｃの下側縁部が係合突起３ａを乗り越えることによって
、係合穴５２ｃが係合突起３ａに係合するようになっている。係合穴５２ｃと係合突起３
ａとの係合で取り付けられた遮光部材５の天板５１の内側面は、フレーム４の側壁４３の
バックライトユニット３の照射光出射側の端部４３ｂと離間するように設けられ、その側
壁５２の内側面はフレーム４の側壁４３の外側面と当接するように設けられる。
【００２２】
図１〜図４の液晶装置１で用いる液晶パネル２の構成は適宜であるが、第１実施形態で
は画素用のスイッチング素子として薄膜トランジスタを用いたアクティブマトリックス型
の液晶パネルを用いており、その具体的な構成を図５に基づいて説明する。図５（ａ）は
液晶パネル２の平面図、同図（ｂ）は同図（ａ）におけるａ−ａ断面図である。
【００２３】
第１実施形態の液晶パネル２は、石英やガラスもしくはシリコン等からなる素子基板（
ＴＦＴアレイ基板）１０上に薄膜トランジスタが設けられ、その素子基板１０に対向して
ガラスや石英等からなる対向基板２０が設けられている。一対の基板である素子基板１０
と対向基板２０とは、画素領域（画像表示領域）２Ａの周囲に設けたシール材２４により
相互に接着固定され、シール材２４の内側の素子基板１０と対向基板２０との間には電気
光学物質である液晶層３０が封入されている。図５（ａ）において、２４ａはシール材２
４の一部を欠落させて形成した液晶注入口、２４ｂは液晶注入口２４ａを塞ぐ封止材であ
る。
【００２４】
シール材２４の外側の領域、即ち画素領域２Ａの外側の周辺領域には、不図示のデータ
線に画像信号を所定のタイミングで供給することによりデータ線を駆動するデータ線駆動
回路１４および外部回路接続端子１５が素子基板１０の一辺に沿って設けられている。ま
た不図示の走査線に走査信号を所定のタイミングで供給することにより走査線を駆動する
走査線駆動回路１６が、データ線駆動回路１４が設けられている一辺に隣接する二辺と平
行に且つシール材２４の内側に設けた遮光膜２５に対向する位置において素子基板１０上
に設けられている。素子基板１０の残る一辺には、走査線駆動回路１６の外部回路接続端
子１５側と反対側をつなぐための複数の配線１７が設けられている。
【００２５】
シール材２４の４つのコーナー部における素子基板１０上には上下導通端子１９が形成
され、素子基板１０と対向基板２０相互間には、下端が上下導通端子１９に接触し、上端
が対向電極２０に接触する上下導通材１８が設けられており、その上下導通材１８によっ
て、素子基板１０と対向基板２０との間で電気的な導通がとられている。
【００２６】
素子基板１０上には画素を構成する画素電極１２等が設けられ、その液晶層３０側には
配向膜１３が設けられている。また対向基板２０上にはその略全面に亘って対向電極２２
が設けられ、液晶層３０側にも配向膜２３が設けられている。各配向膜１３，２３は、例
えば、ポリイミド膜等の透明な有機膜からなり、その表面にラビング処理等を施こすこと
によって液晶層３０内の液晶分子が、液晶層３０に供給される電圧に応じて所定の方向に
配向する。
【００２７】
そして、図２〜図５に示すように、後述する液晶パネル２のレンズ８３側に相当する素
子基板１０の液晶層３０と反対側の面（外側面）には、透明基板８１が接着層を介して貼
り合わされており、後述する透明基板８１のレンズ８３側に相当する透明基板８１の素子
基板１０と反対側の面（外側面）には、偏光板１１が接着層を介して貼り合わされている
。また、対向基板２０の液晶層３０と反対側の面（外側面）には、偏光板２１が接着層を
介して貼り合わされている。
【００２８】
尚、透明基板８１は石英基板又はガラス基板とすると好適であり、その厚さは例えば０
．５ｍｍ〜２ｍｍ程度とすると良好である。また、透明基板８１を素子基板１０に貼り合
わせる接着層としては、素子基板１０と接着層の界面や、接着層と透明基板８１との界面
での屈折を抑制すべく、石英或いはガラス等である素子基板１０や透明基板８１と屈折率
が近いものとすると好ましく、例えばシリコン系接着剤等を用いるとよい。また、偏光板
１１を透明基板８１に貼り合わせる接着層としては、例えばエポキシ樹脂系接着剤などの
接着剤等を用いるとよい。透明基板８１は、後述の如く、異物をデフォーカスする機能を
有すると共に、液晶パネル２の素子基板１０側に対する防塵基板として機能する。
【００２９】
図１〜図４の液晶装置１では、図５の液晶パネル２を、その上下位置を反転してフレー
ム４に配置して保持されているが、液晶パネル２の向きやフレーム４による液晶パネル２
の保持構造などは適宜変更可能である。図１〜図４において、２６、２７は、それぞれ液
晶パネル２及びバックライトユニット３と外部の電源や信号入力源とを電気的に接続する
ための導電接続部材を兼ねる可撓性プリント配線基板（ＦＰＣ）、４１ｂ、４１ｃは液晶
パネル２及びバックライトユニット３をフレーム４内に収容する際に、可撓性プリント配
線基板２９、３０がフレーム４の前方の側壁４１と干渉するのを防ぐために側壁４１に形
成した凹部である。
【００３０】
図１〜図４の液晶装置１で用いるバックライトユニット３は、ＬＥＤ等の光源からの光
を導光体や光拡散板等を介して液晶パネル２の背面側に照射する構成であり、それらの構
成部材をケーシング等で覆ってユニット化したものである。バックライトユニット３の構
成部材や内部構造等は適宜変更可能であり、図示例においてはその構成部材や内部構造等
は省略して全体的な外観形状のみを表している。また、図示例の液晶装置１において、バ
ックライトユニット３は、液晶パネル２の他方の面側に相当する液晶パネル２の対向基板
２０の面側に設けられている。
【００３１】
ここで、液晶装置１における異物のデフォーカスについて説明する。図６（ａ）は第１
実施形態の電気光学装置としての液晶装置における透明基板によるデフォーカスを説明す
る説明図、図６（ｂ）は同図（ａ）の透明基板がない構成を示す参考説明図である。
【００３２】
液晶装置１においては、図６（ａ）に示すように、液晶パネル２の画像を拡大するレン
ズ８３が、液晶パネル２の一方の面に相当する素子基板１０の液晶層３０と反対側の面に
対向配置され、レンズ８３は図２〜図４の窓部５１ａの外側に配置される。レンズ８３の
焦点距離は、基本的に液晶パネル２の画素に合わせて設定されている。
【００３３】
そして、図６（ｂ）の透明基板８１を有しない構成では、偏光板１１と素子基板１０と
の接着層や偏光板１１自体が、レンズ８３の焦点距離の近傍に位置するのに対し、図６（
ａ）の透明基板８１が素子基板１０の外側に貼り合わされ、その透明基板８１の外側に偏
光板１１が貼り合わされる構成では、偏光板１１と素子基板１０との接着層や偏光板１１
自体を、レンズ８３の焦点距離近傍から離すことができる。即ち、偏光板１１と素子基板
１０との接着層に混入した異物や、偏光板１１に混入した異物をデフォーカスすることが
可能である。
【００３４】
第１実施形態によれば、液晶パネル２に貼り合わされた透明基板８１に偏光板１１を貼
り合わせるので、偏光板１１を離れた位置に別途置いて設ける場合と比較して、偏光板１
１の方向精度を確保することが容易であると共に、容易に製造することができる。更に、
偏光板１１の位置をレンズ８３の焦点距離近傍から離すことができるため、偏光板１１や
その接着層に混入した異物、偏光板１１の厚さのムラ等をレンズで拡大して認識されるこ
とを無くし、偏光板１１に起因する表示品位の低下を防止することができる。また、透明
基板８１により、液晶パネル２の素子基板１０側を防塵することができる。
【００３５】
また、素子基板１０と石英又はガラス等の透明基板８１との接着層はレンズ８３の焦点
距離近傍に比較的近い位置にあるが、素子基板１０と透明基板８１との接着層に異物が混
入した場合には、接着層が硬化する前に透明基板８１を取り外して異物を除去することが
可能である。そして、素子基板１０と取り外した透明基板８１は清掃し、再度利用して付
け直すことが可能であり、透明基板８１の廃却を無くし、部材の無駄を防止することがで
きる。尚、偏光板１１と素子基板１０を直接接着する場合に、その接着層に異物が入った
場合には付け直しができず、偏光板１１は廃却する必要が生ずる。また、液晶パネル２の
素子基板１０の接着面に損傷部が存在する場合に、素子基板１０と透明基板８１との接着
層を構成する接着剤で損傷部を埋め込むことができるので、損傷部が観察者に視認される
ことを防止できる。
【００３６】
〔第２実施形態の電気光学装置〕
次に、第２実施形態の電気光学装置としての液晶装置について説明する。図７は第２実
施形態の電気光学装置としての液晶装置における透明基板及び別の透明基板によるデフォ
ーカスを説明する説明図である。
【００３７】
第２実施形態の液晶装置１では、図７に示すように、液晶パネルの他方の面に相当する
対向基板２０の液晶層３０と反対側の面（外側面）にも、別の透明基板に相当する透明基
板８２が接着層を介して貼り合わされており、透明基板８２の対向基板２０と反対側の面
（外側面）に、偏光板２１が接着層を介して貼り合わされている点で第１実施形態と相違
し、その他の構成は第１実施形態と同一である。好適な透明基板８２の材質や厚さ、透明
基板８２を対向基板２０に貼り合わせる接着層、偏光板２１を透明基板８２に貼り合わせ
る接着層は、透明基板８１の材質や厚さ、透明基板８１を素子基板１０に貼り合わせる接
着層、偏光板１１を透明基板８１に貼り合わせる接着層と同様である。
【００３８】
そして、図７の構成では、液晶パネル２のレンズ８３側と反対側に位置する偏光板２１
と対向基板２０との接着層や偏光板２１自体を、レンズ８３の焦点距離近傍から離すこと
ができる。即ち、偏光板２１と素子基板１０との接着層に混入した異物や、偏光板２１に
混入した異物をデフォーカスすることが可能である。また、透明基板８２は、液晶パネル
２の対向基板２０側に対する防塵基板として機能する。
【００３９】
第２実施形態によれば、液晶パネル２のレンズ８３側と反対側において、液晶パネル２
に貼り合わされた透明基板８２に偏光板２１を貼り合わせるので、偏光板２１を離れた位
置に別途置いて設ける場合と比較して、偏光板２１の方向精度を確保することが容易であ
ると共に、容易に製造することができる。更に、偏光板２１の位置をレンズ８３の焦点距
離近傍から離すことができるため、偏光板２１やその接着層に混入した異物、偏光板２１
の厚さのムラ等をレンズで拡大して認識されることを無くし、偏光板２１に起因する表示
品位の低下を防止することができる。また、透明基板８２により、液晶パネル２の対向基
板２０側を防塵することができる。
【００４０】
また、対向基板２０と石英又はガラス等の透明基板８２との接着層はレンズ８３の焦点
距離近傍に比較的近い位置にあるが、対向基板２０と透明基板８２との接着層に異物が混
入した場合には、接着層が硬化する前に透明基板８２を取り外して異物を除去することが
可能である。そして、対向基板２０と取り外した透明基板８２は清掃し、再度利用して付
け直すことが可能であり、透明基板８２の廃却を無くし、部材の無駄を防止することがで
きる。また、液晶パネル２の対向基板２０の接着面に損傷部が存在する場合に、対向基板
２０と透明基板８２との接着層を構成する接着剤で損傷部を埋め込むことができるので、
損傷部が観察者に視認されることを防止できる。
【００４１】
また、バックライトユニット３の組付け時に異物が混入した場合にも、レンズ８３の焦
点距離近傍から異物を離すことが可能であり、かかる点からも表示品位の低下を防止する
ことができる。その他に第１実施形態と対応する構成により、第１実施形態と同様の効果
を奏することができる。
【００４２】
〔実施形態の変形例等〕
本発明は第１、第２実施形態に限定されるものではなく、本発明の目的を達成できる範
囲内で変形、改良等したものも本発明に含まれる。例えば第１、第２実施形態では、本発
明を電気光学装置として液晶装置に適用し、電気光学パネルとしてアクティブマトリック
ス型の液晶パネルを用いた場合を例にして説明したが、パッシブマトリクス型の液晶パネ
ルとしてもよく、又、液晶パネルに限らず、有機ＥＬディスプレイなど、各種の電気光学
パネルを用いる電気光学装置としてもよい。また、第１、第２実施形態では、透過型の液
晶パネルとする例について説明したが、本発明では、反射型の液晶パネル或いは透過反射
型の液晶パネルとすることも可能である。また、本発明の電気光学パネルにおける一方の
面側の基板と他方の面側の基板は、素子基板と対向基板の何れとすることも可能である。
【００４３】
また、第１、第２実施形態では、本発明の電気光学装置としてＥＶＦとして用いる液晶
装置１について説明したが、ＥＶＦ以外に用いる電気光学装置にも本発明は適用可能であ
る。また、本発明の電気光学装置は、デジタルビデオカメラ、デジタルスチールカメラな
ど各種の電子機器に搭載して用いることが可能であり、例えば図８のデジタルカメラ７０
に第１、第２実施形態の液晶装置１を用いることができる。図８において、７１は画像表
示モニタ、７２はシャッタボタン、７３はダイヤルスイッチ、７４は電源ボタンである。
【符号の説明】
【００４４】
１…液晶装置（電気光学装置）  ２…液晶パネル（電気光学パネル）２Ａ…画素領域（画
像表示領域）  ３…バックライトユニット  ３ａ…係合突起  ３ａ１…傾斜面  ３ｂ…係
合凹部  ３１…両面接着テープ  ４…フレーム  ４ａ、４ｂ…凹部  ４１、４２、４３…
側壁  ４１ａ、４２ａ…突出部  ４１ｂ、４１ｃ…凹部  ４３ａ…張出部  ４３ｂ…端部
４４…支持部  ４４ａ…開口部  ４５…嵌合面  ５…遮光部材  ５１…天板  ５１ａ…
窓部  ５２…側壁  ５２ａ…凹部  ５２ｂ…突出部  ５２ｃ…係合穴  ６…実装ケース  
７…電子機器  ７０…デジタルカメラ  ７１…画像表示モニタ  ７２…シャッタボタン  
７３…ダイヤルスイッチ  ７４…電源ボタン  ８１、８２…透明基板  ８３…レンズ  １
０…素子基板  １１…偏光板  １２…画素電極  １３…配向膜  １４…データ線駆動回路
１５…外部回路接続端子  １６…走査線駆動回路  １７…配線  １８…上下導通材  １
９…上下導通端子  ２０…対向基板  ２０ａ…内側面  ２１…偏光板  ２２…対向電極  
２３…配向膜  ２４…シール材  ２４ａ…液晶注入口  ２４ｂ…封止材  ２５…遮光膜  
２６、２７…可撓性プリント配線基板  ３０…液晶層
【図１】
2010186113.tif 000003
【図２】
2010186113.tif 000004
【図３】
2010186113.tif 000005
【図４】
2010186113.tif 000006
【図５】
2010186113.tif 000007
【図６】
2010186113.tif 000008
【図７】
2010186113.tif 000009
【図８】
2010186113.tif 000010